(57)【要約】      （修正有）【課題】個々の使用者の臀部形状に適合した立体格子状クッションを提供する。【解決手段】上方が開口し、区画された空間であるセル３が形成された立体格子状の隔壁２からなる立体格子状クッション１であって、セル３に着脱自在に挿入されたパッド４を備えた。パッド４をセル３に挿入すると、体圧の上昇が大きい位置、及び横ずれが大きくなる位置のセル３に挿入したパッド４は、セル３の上端から突出する。体圧の上昇が比較的小さい位置、及び横ずれが比較的小さい位置のセル３に挿入したパッド４は、セル３の上端から引っ込む。このようにしてパッド４をセル３に挿入すると、パッド４を挿入したセル３は、座る人の体重による体圧を分散させ、座る人の体重による隔壁２の潰れを減少させる。【選択図】図２
0003211111.tif 000002
【実用新案登録請求の範囲】
【請求項１】
上方が開口し、区画された空間であるセルが形成された立体格子状の隔壁からなる立体格子状クッションにおいて、
前記セルに着脱自在に挿入されたパッドを備えた
ことを特徴とする立体格子状クッション。
【請求項２】
請求項１に記載の立体格子状クッションにおいて、
前記セルの正面視形状は、矩形、三角形、及びハニカム構造から選択される１つの形状である  
ことを特徴とする立体格子状クッション。
【請求項３】
請求項２に記載の立体格子状クッションにおいて、
前記パッドは、前記セルの上端より低い高さから、前記セルの上端より高い高さまでの複数の異なる高さに形成されている
ことを特徴とする立体格子状クッション。
【請求項４】
請求項３に記載の立体格子状クッションにおいて、
使用者の臀部形状に適合した高さの前記パッドが前記セルに挿入されている
ことを特徴とする立体格子状クッション。
【請求項５】
請求項３に記載の立体格子状クッションにおいて、
前記パッドは、耐潰性の高い外皮と、耐潰性が低い内部の２層で構成されている
ことを特徴とする立体格子状クッション。
【請求項６】
請求項５に記載の立体格子状クッションにおいて、
前記耐潰性が低い内部は、高通気性脱膜ウレタンまたは立体網状ポリエステルで形成されている
ことを特徴とする立体格子状クッション。
【考案の詳細な説明】
【技術分野】
【０００１】
本考案は、介護用ベッド、椅子、ソファ等に使用される立体格子状クッションに関する。更に詳しくは、座位保持のために使用者の体型に適合するように形状、高さを変更できる立体格子状クッションに関する。さらに詳しくは、高い体圧分散性を有するとともに通気性を有する立体格子状クッションに関する。
【背景技術】
【０００２】
本出願人は、立体格子状でＳＥＢＳ等のジェル状の物質で作られたジェルクッションを提案した（特許文献１）。この立体格子ジェル状クッションは、座面は、座る人の臀部形状、正確には座ったときの大殿筋に合致させるように凹面状に形成されている。この立体格子ジェル状クッションは、成形金型で射出成形で成形される。この座面の凹面状の形状は、標準的な使用者の臀部に合致する形状に形成されている。また、クッションの構造をハニカム構造にして、荷重がかかった場合に潰れないように、この各セルに消臭のために木炭チップを入れた紙管を挿入したものも提案されている（特許文献２）。
【０００３】
しかしながら、このような特殊な立体格子ジェル状クッションは、例えば、障害者の方が使用されるケースが多く、単独使用の場合、個人差の多い障害者にとって汎用性に限界が有る。すなわち、標準的な座面の凹面形状では、最適なものとは言えない。なぜならば、障害者は障害の種別・程度により臀部の凹面形状が異なる。また、疾患に伴う体幹支持性・筋力の低下・麻痺等が座位姿勢に影響し、それぞれの障害により部分的な支持力差や座面の高低差が必要となる。このためにクッション座面に臀部を載せて座るとき、クッション座面から反力があるが、この反力が均一ではなく、臀部への圧力（体圧）の体圧分散性が悪い。特に骨が突出している人の場合、その骨の部分が均等な圧力ではなく局部的に高くなる。また、前述した立体格子ジェル状クッションは、単独利用の場合、座る人の体重や不良な座位姿勢、すなわち、前すべりや体幹側屈等により、座クッションに対する横・斜め方向の荷重ベクトル成分が増大し、立体格子が潰れて十分な機能を発揮できないことがありうる。立体格子状クッションは、本来、利用者の臀部とクッション材との間に空気層が存在し、蒸れや体温調節・衛生面等の問題を改善する効果を有しているはずであるが、立体格子の潰れはこのような通気性の低下をもたらす。
【先行技術文献】
【特許文献】
【０００４】
【特許文献１】実用新案登録第３１２１５５４号
【特許文献２】特開２０００−２１７６６９号
【考案の概要】
【考案が解決しようとする課題】
【０００５】
本考案は、以上のような技術背景で発明されたものであり、以下の目的を達成するものである。
本考案の目的は、使用者の臀部形状に適合した立体格子状クッションを提供することにある。
本考案の他の目的は、使用者の臀部形状に適合するように容易に変更できる調整機構を有し、使用者が求める体幹保持性を満足させるようにした立体格子状クッションを提供することにある。
本考案の更に他の目的は、使用者の臀部形状に適合した体圧分散性を確保しつつ、高い通気性を有した立体格子状クッションを提供することにある。
【課題を解決するための手段】
【０００６】
前記課題は以下の手段によって解決される。
すなわち、本考案１の立体格子状クッションは、上方が開口し、区画された空間であるセルが形成された立体格子状の隔壁からなる立体格子状クッションにおいて、前記セルに着脱自在に挿入されたパッドを備えたことを特徴とする。
【０００７】
本考案２の立体格子状クッションは、本考案１において、前記セルの正面視形状は、矩形、三角形、及びハニカム構造から選択される１つの形状であることを特徴とする。
【０００８】
本考案３の立体格子状クッションは、本考案２において、前記パッドは、前記セルの上端より低い高さから、前記セルの上端より高い高さまでの複数の異なる高さに形成されていることを特徴とする。
【０００９】
本考案４の立体格子状クッションは、本考案３において、使用者の臀部形状に適合した高さの前記パッドが前記セルに挿入されていることを特徴とする。
【００１０】
本考案５の立体格子状クッションは、本考案３において、前記パッドは、耐潰性の高い外皮と、耐潰性が低い内部の２層で構成されていることを特徴とする。
本考案６の立体格子状クッションは、本考案５において、前記耐潰性が低い内部は、高通気性脱膜ウレタンまたは立体網状ポリエステルで形成されていることを特徴とする。
【考案の効果】
【００１１】
本考案の立体格子状クッションは、立体格子状クッションの区画された空間であるセルに着脱自在に挿入されたパッドを備えている。従って、使用者の臀部形状に適合した立体格子状クッションに容易に変更可能となる。また、本考案の立体格子状クッションは、疾患に伴う体幹支持性・筋力の低下・麻痺等が座位姿勢に及ぼす影響を軽減し、相殺することが可能となる。
【図面の簡単な説明】
【００１２】
【図１】図１は、本考案の実施の形態の立体格子状クッションを示す全体斜視図であり、区画された空間であるセルにパッドを挿入する前の状態を示す全体斜視図である。
【図２】図２は、セルにパッドを挿入した状態を示す立体格子状クッションの全体斜視図である。
【図３】図３は、パッドを示す全体斜視図であり、（ａ）は単一の素材で形成されたパッドを示す全体斜視図、（ｂ）は耐潰性の高い外皮と、耐潰性が低い内部の２層で構成されたパッドを示す全体斜視図である。
【考案を実施するための形態】
【００１３】
以下、本考案の実施の形態を図面に基づいて説明する。図１は、本考案の実施の形態の立体格子状クッションを示す全体斜視図であり、区画された空間であるセルにパッドを挿入する前の状態を示す全体斜視図である。図２は、セルにパッドを挿入した状態を示す立体格子状クッションの全体斜視図である。図１に示すように、本考案の実施の形態の立体格子状クッション１は、全体形状が平面視が四角形の板状で、格子状に薄肉の隔壁２が形成されている。この隔壁２で区画された空間である複数のセル３は、上方が開口した四角柱状に形成されている。立体格子状クッション１の座面（上面）は、座る人の臀部形状に合致させるように凹面状に形成されている。立体格子状クッション１の下面は平坦に形成されている。立体格子状クッション１は、スチレン系の熱可塑性弾性体であるＳＥＢＳ（スチレン−エチレン・ブチレン−スチレンブロックコポリマー）を主とした熱可塑性弾性体を用い、射出成形により製造されている。
【００１４】
図３は、セル３に着脱自在に挿入されるパッドを示す全体斜視図であり、図３（ａ）は単一の素材で形成されたパッド４を示す全体斜視図、図３（ｂ）は耐潰性の高い外皮と、耐潰性が低い内部の２層で構成されたパッド５を示す全体斜視図である。すなわち、図３（ａ）のパッド４は通気性を保持するため、高通気性脱膜ウレタンまたは立体網状ポリエステル等の素材を主材料として四角柱状に成形されている。パッド４の高さＨは、セル３の上端より低い高さから、セル３の上端より高い高さまでの複数の異なる高さのものを成形して準備しておく。パッド４の四角柱の寸法は、セル３の四角柱状の空間に密に内嵌する寸法に形成されている。
【００１５】
図３（ｂ）のパッド５は外皮５１が耐潰性の高い材質で形成され、内部５２が高通気性脱膜ウレタンまたは立体網状ポリエステル等の素材を主材料とした耐潰性が低い材質の２層で四角柱状に成形されている。パッド５の高さＨは、セル３の上端より低い高さから、セル３の上端より高い高さまでの複数の異なる高さのものを成形して準備しておく。パッド５を高通気性脱膜ウレタンまたは立体網状ポリエステル等の耐潰性が低い材質で成形した後、パッド５の外側を加熱すれば、耐潰性の高い外皮５１を形成することができる。また、パッド５を金型で成形すれば、外金型に接するパッド５の外周面が急冷されて、耐潰性の高い外皮５１を形成することができる。パッド５の四角柱の寸法は、セル３の四角柱状の空間に密に内嵌する寸法に形成されている。パッド５のように、外皮５１を耐潰性の高い材質で形成したものは、特に骨が突出している人の体圧の上昇を抑制する場合や、疾患により前傾、内転・内旋などの強い利用者の座位保持性を高める場合に使用すれば効果が大きい。図３（ｂ）のパッド５は外皮５１が耐潰性の高い材質で形成され、内部５２が通気性の高い材質で構成されているため、高通気性を有しつつ構造体全体として高い耐潰性を保持することが可能となる。
【００１６】
図１に示すように、体圧が高くなる位置、または横ずれする位置のセル３に挿入するための複数のパッド４（又はパッド５）を準備する。準備するパッド４は、体圧の上昇が大きい位置、及び横ずれが大きくなる位置のセル３に挿入するパッド４は高さＨが高いものを選択する。また、体重の大きい使用者用に、全面に高さＨの低いパッド４を挿入し、耐荷重を上げることもできる。体圧の上昇が比較的小さい位置、及び横ずれが比較的小さい位置のセル３に挿入するパッド４は高さＨが低いものを選択する。
【００１７】
図１の座面後方の中央に８個準備されたパッド４は、骨盤の後傾に伴う不良姿勢、すなわち脊柱後彎・円背と、それに伴う仙骨部への体圧集中を予防し両坐骨部での支持を促すための腰部支持パッド６１である。座面後方の左右両側に各々６個準備されたパッド４は、筋力低下や麻痺等に伴う体幹の左右側方への傾き（側屈）を予防し、骨盤、特に両坐骨部に作用する体圧を分散・均等化させるための骨盤支持パッド６２、６２である。座面前方の中央の９個のパッド４は、内転筋の緊張などによる両膝の接触、関節変形、拘縮、股関節脱臼を予防し、同時に骨盤の前すべりを予防するための内転防止パッド６３である。座面前方の左右両側に各々６個準備されたパッド４は、外転筋の緊張あるいは弛緩などによる膝の車椅子フレームへの接触、股関節変形、拘縮、脱臼を予防するための外転防止パッド６４、６４である。座面前方の内転防止パッド６３と外転防止パッド６４との間に準備された９個のパッド４は、片側の足を足台から降ろして車椅子片脚漕ぎをするため、あるいは骨盤の前すべりを防止するための大腿調整パッド６５である。
【００１８】
図１で準備したパッド４をセル３に挿入すると、図２の状態になる。図２に示すように、体圧の上昇が大きい位置、及び横ずれが大きくなる位置のセル３に挿入した高さＨが高いパッド４は、セル３の上端から突出する。体圧の上昇が比較的小さい位置、及び横ずれが比較的小さい位置のセル３に挿入した高さＨが低いパッド４は、セル３の上端から引っ込む。このようにしてパッド４をセル３に挿入すると、パッド４を挿入したセル３は、座る人の体重による体圧を分散させ、座る人の体重による隔壁２の潰れを減少させる。このようにしてパッド４を挿入した立体格子状クッション１に座り、体圧の上昇を確認する。その結果、不具合が有れば、不具合のある位置のセル３のパッド４を取り外し、違う高さのパッド４に取り替えることにより、使用者の臀部形状に適合した立体格子状クッション１に容易に変更できる。
【００１９】
本考案の実施の形態の立体格子状クッション１は、着脱可能なパッド４を必要な箇所のセル４に挿入して、体圧の上昇を防止するため、使用者の臀部形状に適合した立体格子状クッションに容易に変更可能となる。また、パッド４の高さＨを適宜選択することにより、体圧の大きさに容易に対応することが可能となる。また、隔壁２の潰れが減少するため、使用者の臀部形状に適合した体圧分散性を確保しつつ、高い通気性を確保することが可能となる。
【００２０】
以上、本考案の実施の形態を説明したが、本考案はこの実施の形態に限定されることはない。上記した実施の形態では、セル３の正面視形状が四角形（矩形）の例について説明したが、三角形やハニカム構造（正六角形）等の他の形状でもよい。その場合、パッド４の正面視形状は、セル３の正面視形状に合わせて成形する。また、上記した実施の形態では、座面が座る人の臀部形状に合致させるように凹面状に形成された立体格子状クッションに適用した例について説明したが、座面が平らな立体格子状クッションに適用して、立体格子状クッション全体の硬さを調整したり、部分的に硬さを調整するようにしてもよい。パッドは、全体をメッシュ布でカバーするものであっても良い。更に、パッドを各自に固定するために、底面をクッショカバーのメッシュ生地と接着する等の固定方法であっても良い。
【符号の説明】
【００２１】
１…立体格子状クッション
２…隔壁
３…セル
４、５…パッド
５１…外皮
５２…内部
６１…腰部支持パッド
６２…骨盤支持パッド
６３…内転防止パッド
６４…外転防止パッド
６５…大腿調整パッド
【図１】
0003211111.tif 000003
【図２】
0003211111.tif 000004
【図３】
0003211111.tif 000005